【手続補正書】
【提出日】平成25年11月27日(2013.11.27)
【手続補正１】
【補正対象書類名】特許請求の範囲
【補正対象項目名】全文
【補正方法】変更
【補正の内容】
【特許請求の範囲】
【請求項１】
３次元モデルに含まれる形状を他の形状に置き換えることで新たな３次元モデルを作成し、当該新たな３次元モデルにおいて発生したフィーチャーの参照関係の異常の修復作業を支援するための情報処理装置であって、
置き換え後の３次元モデルに含まれるフィーチャーのうち、前記置き換えによって参照先の要素が不明となったフィーチャーを取得する第１の取得手段と、
置き換え前の３次元モデルに含まれるフィーチャーのうち、前記第１の取得手段で取得した前記置き換え後のフィーチャーに対応する前期置き換え前のフィーチャーを取得する第２の取得手段と、
前記置き換え前の３次元モデルに含まれる要素のうち、前記第２の取得手段で取得したフィーチャーの参照先の要素を特定する特定手段と、
前記置き換え後の３次元モデルに含まれる要素のうち、前記特定手段で特定した要素に近似する位置の要素を抽出する抽出手段と、
前記抽出手段で抽出した要素を、前記第１の取得手段で取得したフィーチャーの参照先の要素の候補として表示する表示制御手段と
を備えることを特徴とする情報処理装置。
【請求項２】
前記表示制御手段は、前記特定手段で特定した要素を識別表示した前記置き換え前の３次元モデルと、前記抽出手段で抽出した要素を識別表示した前記置き換え後の３次元モデルとを比較表示することを特徴とする請求項１に記載の情報処理装置。
【請求項３】
前記情報処理装置は、
前記抽出手段で抽出された要素と接する要素を選択する選択手段を更に備え、
前記表示制御手段は、前記選択手段で選択された要素を、前記第１の取得手段で取得したフィーチャーの参照先の要素の候補として更に表示することを特徴とする請求項１または２に記載の情報処理装置。
【請求項４】
前記表示制御手段は、ユーザからの指示に応じて、前記抽出手段で抽出した要素を前記置き換え後の３次元モデルにおいて表示または非表示に切り替えることを特徴とする請求項１乃至３のいずれか１項に記載の情報処理装置。
【請求項５】
前記他の形状は、前記３次元モデルとは異なる３次元ＣＡＤアプリケーションで作成された形状であることを特徴とする請求項１乃至４のいずれか１項に記載の情報処理装置。
【請求項６】
３次元モデルに含まれる形状を他の形状に置き換えることで新たな３次元モデルを作成し、当該新たな３次元モデルにおいて発生したフィーチャーの参照関係の異常の修復作業を支援するための情報処理装置の制御方法であって、
前記情報処理装置の第１の取得手段が、置き換え後の３次元モデルに含まれるフィーチャーのうち、前記置き換えによって参照先の要素が不明となったフィーチャーを取得する第１の取得ステップと、
前記情報処理装置の第２の取得手段が、置き換え前の３次元モデルに含まれるフィーチャーのうち、前記第１の取得ステップで取得したフィーチャーに対応するフィーチャーを取得する第２の取得ステップと、
前記情報処理装置の特定手段が、前記置き換え前の３次元モデルに含まれる要素のうち、前記第２の取得ステップで取得したフィーチャーの参照先の要素を特定する特定ステップと、
前記情報処理装置の抽出手段が、前記置き換え後の３次元モデルに含まれる要素のうち、前記特定ステップで特定した要素に近似する要素を抽出する抽出ステップと、
前記情報処理装置の表示制御手段が、前記抽出ステップで抽出した要素を、前記第１の取得ステップで取得したフィーチャーの参照先の要素の候補として表示する表示制御ステップと
を備えることを特徴とする情報処理装置の制御方法。
【請求項７】
３次元モデルに含まれる形状を他の形状に置き換えることで新たな３次元モデルを作成し、当該新たな３次元モデルにおいて発生したフィーチャーの参照関係の異常の修復作業を支援するための情報処理装置の制御方法を実行可能なプログラムであって、
前記情報処理装置を、
置き換え後の３次元モデルに含まれるフィーチャーのうち、前記置き換えによって参照先の要素が不明となったフィーチャーを取得する第１の取得手段と、
置き換え前の３次元モデルに含まれるフィーチャーのうち、前記第１の取得手段で取得したフィーチャーに対応するフィーチャーを取得する第２の取得手段と、
前記置き換え前の３次元モデルに含まれる要素のうち、前記第２の取得手段で取得したフィーチャーの参照先の要素を特定する特定手段と、
前記置き換え後の３次元モデルに含まれる要素のうち、前記特定手段で特定した要素に近似する要素を抽出する抽出手段と、
前記抽出手段で抽出した要素を、前記第１の取得手段で取得したフィーチャーの参照先の要素の候補として表示する表示制御手段
として機能させることを特徴とするプログラム。
【手続補正２】
【補正対象書類名】明細書
【補正対象項目名】発明の名称
【補正方法】変更
【補正の内容】
【発明の名称】情報処理装置、その制御方法、及びプログラム
【手続補正３】
【補正対象書類名】明細書
【補正対象項目名】００１６
【補正方法】変更
【補正の内容】
【００１６】
本発明の目的は、３次元モデルに含まれる形状を他の形状に置き換えた場合に参照先の要素が不明となるフィーチャーの新たな参照先の候補を提示することの可能な仕組みを提供することである。
【手続補正４】
【補正対象書類名】明細書
【補正対象項目名】００１７
【補正方法】変更
【補正の内容】
【００１７】
上記の目的を達成するために、本発明の情報処理装置は、３次元モデルに含まれる形状を他の形状に置き換えることで新たな３次元モデルを作成し、当該新たな３次元モデルにおいて発生したフィーチャーの参照関係の異常の修復作業を支援するための情報処理装置であって、置き換え後の３次元モデルに含まれるフィーチャーのうち、前記置き換えによって参照先の要素が不明となったフィーチャーを取得する第１の取得手段と、置き換え前の３次元モデルに含まれるフィーチャーのうち、前記第１の取得手段で取得した前記置き換え後のフィーチャーに対応する前期置き換え前のフィーチャーを取得する第２の取得手段と、前記置き換え前の３次元モデルに含まれる要素のうち、前記第２の取得手段で取得したフィーチャーの参照先の要素を特定する特定手段と、前記置き換え後の３次元モデルに含まれる要素のうち、前記特定手段で特定した要素に近似する位置の要素を抽出する抽出手段と、前記抽出手段で抽出した要素を、前記第１の取得手段で取得したフィーチャーの参照先の要素の候補として表示する表示制御手段とを備えることを特徴とする。
【手続補正５】
【補正対象書類名】明細書
【補正対象項目名】００１８
【補正方法】変更
【補正の内容】
【００１８】
上記の目的を達成するために、本発明の制御方法は、３次元モデルに含まれる形状を他の形状に置き換えることで新たな３次元モデルを作成し、当該新たな３次元モデルにおいて発生したフィーチャーの参照関係の異常の修復作業を支援するための情報処理装置の制御方法であって、前記情報処理装置の第１の取得手段が、置き換え後の３次元モデルに含まれるフィーチャーのうち、前記置き換えによって参照先の要素が不明となったフィーチャーを取得する第１の取得ステップと、前記情報処理装置の第２の取得手段が、置き換え前の３次元モデルに含まれるフィーチャーのうち、前記第１の取得ステップで取得したフィーチャーに対応するフィーチャーを取得する第２の取得ステップと、前記情報処理装置の特定手段が、前記置き換え前の３次元モデルに含まれる要素のうち、前記第２の取得ステップで取得したフィーチャーの参照先の要素を特定する特定ステップと、前記情報処理装置の抽出手段が、前記置き換え後の３次元モデルに含まれる要素のうち、前記特定ステップで特定した要素に近似する要素を抽出する抽出ステップと、前記情報処理装置の表示制御手段が、前記抽出ステップで抽出した要素を、前記第１の取得ステップで取得したフィーチャーの参照先の要素の候補として表示する表示制御ステップとを備えることを特徴とする。
【手続補正６】
【補正対象書類名】明細書
【補正対象項目名】００１９
【補正方法】変更
【補正の内容】
【００１９】
上記の目的を達成するために、本発明のプログラムは、３次元モデルに含まれる形状を他の形状に置き換えることで新たな３次元モデルを作成し、当該新たな３次元モデルにおいて発生したフィーチャーの参照関係の異常の修復作業を支援するための情報処理装置の制御方法を実行可能なプログラムであって、前記情報処理装置を、置き換え後の３次元モデルに含まれるフィーチャーのうち、前記置き換えによって参照先の要素が不明となったフィーチャーを取得する第１の取得手段と、置き換え前の３次元モデルに含まれるフィーチャーのうち、前記第１の取得手段で取得したフィーチャーに対応するフィーチャーを取得する第２の取得手段と、前記置き換え前の３次元モデルに含まれる要素のうち、前記第２の取得手段で取得したフィーチャーの参照先の要素を特定する特定手段と、前記置き換え後の３次元モデルに含まれる要素のうち、前記特定手段で特定した要素に近似する要素を抽出する抽出手段と、前記抽出手段で抽出した要素を、前記第１の取得手段で取得したフィーチャーの参照先の要素の候補として表示する表示制御手段として機能させることを特徴とする。